(57)【要約】【課題】管理情報により再生及び記録データの管理がなされる、例えば、光磁気ディスク等の記録媒体において、その管理情報の訂正又は更新を行うことにより、記録媒体及び記録データを救済する。【解決手段】記録媒体の管理情報訂正装置において、記録媒体の管理情報にのみ異常が生じた場合、ユーザーが管理情報訂正／更新操作部２３の操作を行うことにより、訂正又は更新指示情報が出力される。管理情報訂正／更新制御部２２は、システムコントローラ１０に格納されている初期状態時の管理情報を参照することにより、記録媒体から読み取られて、管理情報保持部１９に一時的に保持されている現在の管理情報の異常部分を訂正する。【選択図】図７
2004227685.tif 000002
【特許請求の範囲】
【請求項１】
データと、このデータの再生又は記録動作について管理を行うための管理情報とが記録される記録媒体の管理情報訂正装置であって、
操作により前記管理情報を訂正するための訂正指示情報を出力する訂正操作手段と、
初期状態時の前記管理情報と現在の記録媒体に対応する管理情報とを保持する管理情報保持手段と、
前記訂正操作手段からの前記訂正指示情報を受けて、初期状態時の前記管理情報を参照し、前記管理情報保持手段に保持されている前記現在の記録媒体に対応する管理情報の異常部分を訂正する訂正制御手段を備える
ことを特徴とする記録媒体の管理情報訂正装置。
【請求項２】
請求項１記載の記録媒体の管理情報訂正装置において、
前記訂正操作手段の訂正指示情報は、前記記録媒体上の管理情報を更新するための更新指示情報をも含み、
前記訂正制御手段は、
前記訂正操作手段の訂正指示情報を受けて、前記記録媒体上の管理情報を訂正後の前記現在の記録媒体に対応する管理情報に更新する
ことを特徴とする記録媒体の管理情報訂正装置。
【請求項３】
請求項２記載の記録媒体の管理情報訂正装置において、
前記記録媒体に設けられている記録の可否を設定する記録可否設定手段の設定状態を検出する検出手段を備え、
前記訂正制御手段は、前記検出手段により前記記録可否設定手段が記録不可側に設定されていることが検出された場合には、前記記録媒体上の前記管理情報を訂正後の前記現在の記録媒体に対応する管理情報に更新しない
ことを特徴とする記録媒体の管理情報訂正装置。
【請求項４】
請求項２記載の記録媒体の管理情報訂正装置において、
前記訂正操作手段は、
初期状態時の前記管理情報を参照することにより行う前記管理情報保持手段に保持されている前記現在の記録媒体に対応する管理情報の異常部分の訂正と、前記記録媒体上の管理情報を訂正後の管理情報に更新することとを実行するか否かを選択する訂正指示情報を出力することが可能である
ことを特徴とする記録媒体の管理情報訂正装置。
【請求項５】
請求項２記載の記録媒体の管理情報訂正装置において、
前記訂正操作手段は、前記訂正指示情報に、前記記録媒体に記録されている現在の管理情報を更新した後にその更新前の管理情報に戻すか否かを選択的に指示する復帰情報を含み、
前記管理情報保持手段は、前記記録媒体からの現在の管理情報を保持し続け、
前記管理情報制御手段は、前記訂正操作手段からの訂正指示情報に復帰情報が含まれるとき、前記記録媒体の管理情報を更新し、その後、その更新前の管理情報に再更新する
ことを特徴とする記録媒体の管理情報訂正装置。
【請求項６】
請求項１、２、３又は４記載の記録媒体の管理情報訂正装置において、
前記管理情報保持手段に保持されている記録媒体の現在の管理情報の訂正がされた後、前記管理情報に基づいて再生動作ができない場合に、データの記録開始位置からデータを再生させることを指示する再生指示情報を出力する再生操作手段を別途有し、
前記訂正制御手段は、前記再生操作手段からの再生指示情報を受けて、記録媒体上のデータの記録開始位置からデータを再生させる
ことを特徴とする記録媒体の管理情報訂正装置。
【請求項７】
請求項１、２、３又は４記載の記録媒体の管理情報訂正装置において、
前記管理情報保持手段に保持されている前記記録媒体の現在の管理情報の訂正がされた後、前記管理情報に基づいて記録動作ができない場合に、データの記録開始位置からデータを記録させることを指示する記録指示情報を出力する記録操作手段を別途有し、
前記訂正制御手段は、前記記録操作手段からの記録指示情報を受けて、記録媒体上のデータの記録開始位置からデータを記録させる
ことを特徴とする記録媒体の管理情報訂正装置。
【請求項８】
前記現在の記録媒体に対応する管理情報に含まれるヘッダアドレスが異常である場合に、このヘッダアドレスを初期状態時の管理情報に含まれるヘッダアドレスに訂正する
ことを特徴とする請求項１記載の記録媒体の管理情報訂正装置。
【発明の詳細な説明】
【０００１】
【発明の属する技術分野】
本発明は、再生又は記録データと、そのデータの管理情報とが記録される記録媒体において、前記管理情報を訂正する管理情報訂正装置に関する。
【０００２】
【従来の技術】
従来、音楽情報や各種データを記録するための光ディスクとして、コンパクトディスク（以下、ＣＤと略称する）が用いられてきた。しかしながら、近年においてはＣＤと同等の再生時間を有し、且つ情報記録可能な光ディスクとしてＣＤ−Ｒやミニディスク（以下、ＭＤと略称する）などが普及している。
【０００３】
例えばＭＤにおいては、磁界変調オーバーライト方式による情報の書き込みが行われる。詳しくは、光ビームのレーザーパワーを上げ、ディスク表面上の温度をキューリー温度まで高めつつ、光ビームが照射された光ディスクの磁性膜の部分に磁気ヘッドでＮ極及びＳ極の磁界を加えることにより、情報が記録される。
【０００４】
一方、再生時においては、以上のような記録面に光ビームが照射されると、その光ビームには光ディスクの磁性膜の影響により磁気カー効果が生じ、戻り光の偏光面がＮ極及びＳ極に対応して正又は逆方向にわずかに回転する。光ピックアップ内には２つの受光素子が備えられており、この戻り光のわずかな偏向角を検出し、ＲＦＩＣにおいて前記２つの受光素子の出力の和信号若しくは差信号を作成することによりＲＦ信号を作成し、再生動作を行っている。
【０００５】
このＭＤシステムにおいては、ディスク上でユーザーが記録を行った領域や、まだ何も記録されていない領域を管理するために、音楽等の主データとは別に、ユーザーＴＯＣ（Ｔａｂｌｅ  ｏｆ  Ｃｏｎｔｅｎｔｓ。以下、Ｕ−ＴＯＣという。）という管理情報が記録されている。記録装置において記録する場合は、このＵ−ＴＯＣを参照しながら、記録可能領域を判別し記録を行い、再生装置において再生する場合は、このＵ−ＴＯＣを参照しながら、音楽等の情報が記録されている物理的な位置を判別し、再生を行う。
【０００６】
つまり、Ｕ−ＴＯＣには記録された各楽曲等がトラックという単位で管理され、そのスタートアドレス、エンドアドレス、リンク情報等が記録される。また、何も記録されていない未記録領域（フリーエリア）についてはデータ記録可能領域として、そのスタートアドレス、エンドアドレス、リンク情報等が記録される。更に、ＭＤシステムにおいては、ユーザーがオリジナルのディスクを作成できるよう、音楽等の記録データの分割、連結、トラックナンバーの変更、トラックの消去、ディスクタイトルの入力やトラック名の入力等の多彩な編集処理ができるが、これらの情報は、Ｕ−ＴＯＣによりディスク上の領域が管理されるので、それらの編集処理は、音楽等の主データを直接書き換えることなく、容易でしかも迅速に実行することができる。
【０００７】
また、例えば、ある楽曲の記録を行う際には、記録装置はＵ−ＴＯＣからディスク上のフリーエリアのアドレスを確認し、物理的に記録可能な領域を判別し、この領域に音楽データ等を記録したり、又は、あるトラックを消去しながら上書き記録を行う場合には、そのトラックのアドレスを確認しながら、そこに音楽データを記録する。
【０００８】
しかしながら、ＭＤシステムの場合、例えば、記録動作は記録終了後にディスクに対してＵ−ＴＯＣを書き換える処理をすることによって完了するものであり、このようなＵ−ＴＯＣの書き換え中や、音楽等のデータを記録中、すなわち、Ｕ−ＴＯＣが更新されていない時点などにおいて、不意に電源が遮断され、記録されている環境に起因して記録状態が異常となった場合には、Ｕ−ＴＯＣに対して規定フォーマット外のデータが書き込まれてしまうことがあり、Ｕ−ＴＯＣデータの内容に異常が発生する可能性がある。そして、このようにディスクのＵ−ＴＯＣデータ内容に異常が生じたような場合には、たとえ、このディスクを記録再生装置に装填しても、ディスクエラーが検出されたり、機器側によるディスクの認識が不可能となって、以降の再生又は記録動作が適正に行われないことがある。更に、このように適正なディスクではないと認識されたディスクについては、以降の編集処理によりディスクのＵ−ＴＯＣデータの書き換えなどを行うことも不可能となって、このようなディスクに対してはもはや記録も再生も適正に行うことが不可能となる。ところが、このようなディスクはＵ−ＴＯＣデータの一部に異常があることが大半で、音楽等の主データが記録されている領域には異常がないことが多く、このまま使用不能なディスクとして処理していては不経済であるだけでなく、ユーザーが記録したデータを破棄せざるを得ない。
【０００９】
そこで、例えば、特許文献１では、Ｕ−ＴＯＣデータが異常になった場合、ディスクを初期化することにより、ディスクとして再度記録できる状態にして、救済することとしている。
【００１０】
【特許文献１】
特開平９−１５３２７０号公報
【００１１】
【発明が解決しようとする課題】
しかしながら、特許文献１では、ディスクの救済は可能であるものの、ユーザーが記録したデータは破棄することに変わりはない。
【００１２】
本発明は、前記の問題点を解決するものであり、その目的は、管理情報に異常が発生した記録媒体を、再生又は記録可能な状態に戻すための記録媒体の管理情報訂正装置を提供することにある。
【００１３】
【課題を解決するための手段】
前記の目的を達成するために、本発明では、記録媒体に記録されているデータの再生記録動作についての管理情報を訂正若しくは更新するための指示情報を出力する操作手段と、この操作手段の指示情報を受けて、前記管理情報の異常部分を記録媒体の初期状態での管理情報に基づいて訂正する訂正制御手段とを設ける。
【００１４】
すなわち、請求項１記載の発明の記録媒体の管理情報訂正装置は、データと、このデータの再生又は記録動作について管理を行うための管理情報とが記録される記録媒体の管理情報訂正装置であって、操作により前記管理情報を訂正するための訂正指示情報を出力する訂正操作手段と、初期状態時の前記管理情報と現在の記録媒体に対応する管理情報とを保持する管理情報保持手段と、前記訂正操作手段からの前記訂正指示情報を受けて、初期状態時の前記管理情報を参照し、前記管理情報保持手段に保持されている前記現在の記録媒体に対応する管理情報の異常部分を訂正する訂正制御手段とを備えることを特徴とする。
【００１５】
請求項２記載の発明は、請求項１記載の記録媒体の管理情報訂正装置において、前記訂正操作手段の訂正指示情報は、前記記録媒体上の管理情報を更新するための更新指示情報をも含み、前記訂正制御手段は、前記訂正操作手段の訂正指示情報を受けて、前記記録媒体上の管理情報を訂正後の前記現在の記録媒体に対応する管理情報に更新することを特徴とする。
【００１６】
請求項３記載の発明は、請求項２記載の記録媒体の管理情報訂正装置において、前記記録媒体に設けられている記録の可否を設定する記録可否設定手段の設定状態を検出する検出手段を備え、前記訂正制御手段は、前記検出手段により前記記録可否設定手段が記録不可側に設定されていることが検出された場合には、前記記録媒体上の前記管理情報を訂正後の前記現在の記録媒体に対応する管理情報に更新しないことを特徴とする。
【００１７】
請求項４記載の発明は、請求項２記載の記録媒体の管理情報訂正装置において、前記訂正操作手段は、初期状態時の前記管理情報を参照することにより行う前記管理情報保持手段に保持されている前記現在の記録媒体に対応する管理情報の異常部分の訂正及び、前記記録媒体上の管理情報を訂正後の前記現在の記録媒体に対応する管理情報に対して行う更新を実行するか否かを選択する訂正指示情報を出力することが可能であることを特徴とする。
【００１８】
請求項５記載の発明は、請求項２記載の記録媒体の管理情報訂正装置において、前記訂正操作手段は、前記訂正指示情報に、前記記録媒体に記録されている現在の管理情報を更新した後に、その更新前の管理情報に戻すか否かを選択的に指示する復帰情報を含み、前記管理情報保持手段は、前記記録媒体からの現在の管理情報を保持し続け、前記管理情報制御手段は、前記訂正操作手段からの訂正指示情報に復帰情報が含まれるとき、前記記録媒体の管理情報を更新し、その後、その更新前の管理情報に再更新することを特徴とする。
【００１９】
請求項６記載の発明は、請求項１、２、３又は４記載の記録媒体の管理情報訂正装置において、前記管理情報保持手段に保持されている記録媒体の現在の管理情報の訂正がされた後、前記管理情報に基づいて再生動作ができない場合に、データの記録開始位置から再生させることを指示する再生指示情報を出力する再生操作手段を別途有し、前記訂正制御手段は、前記再生操作手段からの再生指示情報を受けて、記録媒体上のデータの記録開始位置からデータを再生させることを特徴とする。
【００２０】
請求項７記載の発明は、請求項１、２、３又は４記載の記録媒体の管理情報訂正装置において、前記管理情報保持手段に保持されている前記記録媒体の現在の管理情報の訂正がされた後、前記管理情報に基づいて記録動作ができない場合に、データの記録開始位置から記録させることを指示する記録指示情報を出力する記録操作手段を別途有し、前記訂正制御手段は、前記記録操作手段からの記録指示情報を受けて、記録媒体上のデータの記録開始位置からデータを記録させることを特徴とする。
【００２１】
請求項８記載の発明は、請求項１記載の記録媒体の管理情報訂正装置において、前記現在の記録媒体に対応する管理情報に含まれるヘッダアドレスが異常である場合に、このヘッダアドレスを初期状態時の管理情報に含まれるヘッダアドレスに訂正することを特徴とする。
【００２２】
以上により、請求項１及び８記載の発明では、記録媒体の管理情報に異常が生じて、データの再生又は記録ができなくなった場合、ユーザーは訂正操作手段により訂正指示情報を出力することで訂正制御手段を制御し、前記記録媒体から読み取られて管理情報保持手段に保持されている管理情報の異常部分、例えばヘッダアドレスを初期状態の管理情報に基づいて訂正することができる。すなわち、再生又は記録ができる状態にすることができる。
【００２３】
また、請求項２記載の発明では、記録媒体の管理情報に異常が生じた場合に、その記録媒体から読み取られて管理情報保持手段に保持されている管理情報を訂正すると共に、その異常の生じている記録媒体上の管理情報をも前記訂正後の管理情報に更新する。従って、当該再生記録装置における再生又は記録動作は当然のこと、他の再生記録装置においても再生又は記録ができるようになる。
【００２４】
更に、請求項３記載の発明では、記録媒体に設けられている記録可否設定手段の設定状態を検出する検出手段により記録の可否を確認することで、記録媒体上の管理情報を誤って更新してしまうことを防止できる。
【００２５】
また、請求項４記載の発明では、請求項１で述べた管理情報保持手段の訂正と、請求項２で述べた記録媒体の更新とをユーザーの操作により選択することができるので、記録媒体の管理情報を書き換えることなく、管理情報保持手段上の管理情報を訂正するだけで再生動作に移行したり、また、記録媒体の管理情報を更新する際に確認できるなど、ユーザーの選択自由度が広がる。
【００２６】
請求項５記載の発明では、管理情報の更新後その更新前の管理情報を保持し続けることにより、更新前の管理情報に戻すことができるので、ユーザーの自由度が広がる。
【００２７】
更に、請求項６及び７記載の発明では、データには異常が無いにもかかわらず、管理情報保持手段又は記録媒体における管理情報に異常がある場合には、その誤りの管理情報を初期状態の管理情報に訂正するが、現在の記録媒体のデータの記録位置を示す情報が異常では、データの再生動作や記録動作ができない。しかし、前記データ記録開始位置から再生させるかどうかを選択できる再生操作手段と記録させるかどうかを選択できる記録操作手段とを有し、データ記録開始位置からデータを再生及び記録させることができる。
【００２８】
【発明の実施の形態】
以下、本発明の実施の形態を図面に基づいて説明する。
【００２９】
（第１の実施の形態）
この実施の形態の記録媒体の管理情報訂正装置は光磁気ディスクであるＭＤを記録媒体として用いる再生装置／再生／記録装置に搭載される機能として実現される例として説明する
先ず、再生／記録装置の構成について説明する。
【００３０】
図１は実施の形態の再生／記録装置の主要ブロック図を示している。音声データが記録されているディスク１はディスクカートリッジ１Ａ内に納められており、ディスクカートリッジ１Ａにはディスクに対する記録の可否を設定する誤消去防止爪１Ｂが設けられている。このディスク１はスピンドルモータ２により回転駆動される。そしてディスク１に対しては再生／記録時に光学ヘッド３によってレーザ光が照射される。
【００３１】
光学ヘッド３は、記録時にディスク表面をキューリー温度まで加熱するため高レベルのレーザ光を出力し、また再生時には、磁気カー効果により反射光からデータを検出するための比較的低レベルのレーザ光を出力する。このため、光学ヘッド３にはレーザ出力手段としてのレーザダイオード、偏光ビームスプリッタや対物レンズ等からなる光学系、及び反射光を検出するためのディテクタが搭載されている。
【００３２】
また、ディスク１を挟んで光学ヘッド３と対向する位置に磁気ヘッド４が配置されている。磁気ヘッド４は磁気ヘッド駆動回路５によって、入力されたデータによって変調された磁界をディスク１に印加する動作を行う。光学ヘッド３及び磁気ヘッド４は、図示しないスレッド機構によりディスク１の半径方向に移動可能となっている。
【００３３】
再生動作によって、光学ヘッド３によりディスク１から検出された情報はＲＦＩＣ６に入力される。ＲＦＩＣ６は入力された情報のＩ／Ｖ変換や増幅／演算処理により、再生ＲＦ信号、サーボ制御のために必要なフォーカス系／トラッキング系等の各種信号、グルーブ情報（ディスク１にプリグルーブ（ウォブリンググルーブ）として記録されている絶対位置信号）等を抽出する。ＲＦＩＣ６によって生成された再生ＲＦ信号はＥＦＭ／ＣＩＲＣエンコーダ／デコーダ部７に入力される。また、サーボ制御のために必要なフォーカス系／トラッキング系等の各種信号はサーボ回路８に入力され、グルーブ情報はアドレスデコーダ９に入力される。
【００３４】
サーボ回路８はＲＦＩＣ６から入力されたサーボ制御に必要な各種信号により演算処理を行い、マイクロコンピュータにより構成されるシステムコントローラ１０からのフォーカス制御指令、アクセス指令、スピンドル回転制御指令等により、フォーカスサーボ、トラッキングサーボ、スレッドサーボ、スピンドルサーボ制御等の各種サーボ駆動信号を生成し、光学ヘッド３を制御してフォーカス、トラッキング、スレッド制御を行い、スピンドルモータ２を制御してスピンドル制御を行う。
【００３５】
アドレスデコーダ９は入力されたグルーブ情報をデコードしてアドレス情報を抽出する。このアドレス情報はシステムコントローラ１０により読み出され、アクセス動作等の制御動作に用いられる。また再生ＲＦ信号についてはＥＦＭ／ＣＩＲＣエンコーダ／デコーダ部７においてＥＦＭ復調、ＣＩＲＣ等のデコード処理が行われるが、このときデータとして再生ＲＦ信号に含まれているヘッダアドレス、サブコードなども抽出され、システムコントローラ１０により読み出される。
【００３６】
ＥＦＭ／ＣＩＲＣエンコーダ／デコーダ部７でＥＦＭ復調、ＣＩＲＣ等のデコード処理された音声データは、メモリコントローラ１１によって一旦バッファメモリ１２に書き込まれる。なお、光学ヘッド３によるディスク１からのデータの読み取り、光学ヘッド３からバッファメモリ１２までの系における再生データの転送速度はスピンドル線速度（ＣＬＶ）１倍速時、約１．４Ｍｂｉｔ／Ｓであり、バッファメモリ１２に書き込まれた音声データの容量を制御しながら間欠的に行われる。
【００３７】
バッファメモリ１２に書き込まれたデータは、所定量以上データが貯まった段階でシステムコントローラ１０からの指令により音声圧縮エンコーダ／デコーダ部１３に入力される。そして圧縮されたデータを記録されているモードに応じてデコード処理等の再生信号処理が施され、Ｄ／Ａ変換機１４によってアナログ信号に変換されて図示しない所定の増幅回路を通して再生出力される。例えば、Ｌ，Ｒアナログオーディオ信号として出力される。なお、バッファメモリ１２からのデータの読み出しにおいて、音声圧縮エンコーダ／デコーダ部１３の再生データの転送速度は約０．３Ｍｂｉｔ／Ｓであり、再生されている間は連続的に行われる。
【００３８】
ディスク１に対して記録動作が行われるときには、記録信号（例えばアナログオーディオ信号）はＡ／Ｄ変換機１５によって、デジタルデータに変換された後、音声圧縮エンコーダ／デコーダ部１３に入力され、システムコントローラ１０からの指令により記録するモード指令が為された後、音声圧縮エンコード処理を施される。音声圧縮エンコーダ／デコーダ部１３によって圧縮された記録データはメモリコントローラ１１によって一旦バッファメモリ１２に書き込まれる。そしてバッファメモリ１２内に所定量以上データが貯まった段階で、システムコントローラ１０からの指令により、ＥＦＭ／ＣＩＲＣエンコーダ／デコーダ部７に送られる。そしてＥＦＭ／ＣＩＲＣエンコーダ／デコーダ部７でＣＩＲＣエンコード、ＥＦＭ変調等のエンコード処理が施された後、磁気ヘッド駆動回路５に入力される。
【００３９】
そして、磁気ヘッド駆動回路５はエンコード処理された記録データに応じて、磁気ヘッド４に磁気ヘッド駆動信号を入力する。つまり、ディスク１に対して磁気ヘッド４によるＮまたはＳの磁界が印加される。また、このとき光学ヘッド３のレーザ出力は、高レベルの出力が維持されるよう制御される。バッファメモリ１２を介することで、連続的に入力される音声データについての記録動作は間欠的に行われることになる。
【００４０】
操作部である操作ＫＥＹ１６には、ユーザー操作に使われる各種ＫＥＹが設けられている。例えば、ＲＥＣキー、ＰＬＡＹキー、ＳＴＯＰキー、ＣＵＥキー、ＲＥＶキーが設けられ、その操作情報はシステムコントローラ１０に送られる。表示部１７は例えばＬＣＤディスプレイによって構成され、動作状態、トラックナンバ−、トラックモード、演奏時間情報等がシステムコントローラ１０の制御に基づいて表示される。
【００４１】
誤消去防止爪検出部１８は、ディスク１のディスクカートリッジ１Ａに設けられた誤消去防止爪１Ｂの設定状態を検出する機構部とされ、誤消去防止爪検出部１８の検出信号は、システムコントローラ１０に入力される。
【００４２】
また、ディスク１に対して再生／記録動作を行う際には、ディスク１に記録されている管理情報、即ちＴＯＣ（Ｔａｂｌｅ  Ｏｆ  Ｃｏｎｔｅｎｔｓ）、Ｕ−ＴＯＣ（Ｕｓｅｒ  Ｔａｂｌｅ  Ｏｆ  Ｃｏｎｔｅｎｔｓ）を読み出す必要がある。システムコントローラ１０はこれらの管理情報に応じてディスク１上の記録可能なエリアの検出や、再生するトラックナンバーのアドレス情報を検出する。この管理情報は例えばバッファメモリ１２に保持される。このためバッファメモリ１２は、上記した記録データや再生データのバッファエリアと、これら管理情報を保持するエリアが分割されている。そして、システムコントローラ１０はこれらの管理情報を、ディスク１が装填された際に管理情報の記録されたディスクの最内周付近へ光学ヘッド３をアクセス制御し、再生実行させることによって読み出し、バッファメモリ１２に記憶しておき、以後そのディスク１に対する再生／記録動作の際に参照できるようにしている。
【００４３】
また、Ｕ−ＴＯＣはデータの記録や消去に応じて編集されて書き換えられるものであるが、システムコントローラ１０は記録／消去動作のたびにこの編集処理をバッファメモリ１２に記憶されたＵ−ＴＯＣ情報に対して行い、その書き換え動作に応じて所定のタイミング（一般的には、ディスクがアンローディングされる前）でディスク１のＵ−ＴＯＣエリアについても書き換え動作を行う。
【００４４】
ここで、ディスク１において、トラックの再生／記録動作などの管理を行う管理情報として、ＴＯＣセクターについて説明する。ＴＯＣ情報としては、ディスクの記録可能エリア（レコーダブルエリア）などのエリア指定やＵ−ＴＯＣエリアの管理等が行われる。なお、ディスク１が再生専用の光ディスクである場合は、ＴＯＣ情報はＲＯＭ化されて記録されており、楽曲の管理も行うことができるような構成になっている。
【００４５】
図２はＴＯＣ領域（例えばディスク最内周側のＲＯＭエリア）において繰り返し記録されるＴＯＣ情報の１つのセクタ−（セクター０）を示している。なお、ＴＯＣセクターはセクター０から４まで存在するが、セクター１以降はオプションとされている。
【００４６】
ＴＯＣセクター０のデータ領域（４バイト×５８８＝２３５２バイト）は、先頭位置にオール０またはオール１の１バイトデータによって構成される合計１２バイトの同期パターンにクラスタアドレス及びセクタアドレスを示すアドレス等が４バイト付加され、合計１６バイトで本セクタのヘッダが構成される。また、ヘッダに続いて所定アドレス位置に“ＭＩＮＩ”という文字列に対応したアスキーコードによる識別ＩＤが付加され、ＴＯＣ領域であることが示される。
【００４７】
さらに続いて、ディスクタイプや記録レーザパワーレベル、記録されている最初の楽曲の曲番（Ｆｉｒｓｔ  ＴＮＯ）、最後の楽曲の曲番（Ｌａｓｔ  ＴＮＯ）、リードアウトスタートアドレス、パワーキャリブレーションエリアスタートアドレス、Ｕ−ＴＯＣのスタートアドレス、記録可能なエリア（レコーダブルユーザーエリア）のスタートアドレス等が記録されている。
【００４８】
さらに続いて、ピット形態で記録されている各楽曲等を後述する管理テーブル部におけるパーツテーブルに対応させるテーブルポインタ（Ｐ−ＴＮＯ１〜Ｐ−ＴＮＯ２５５）を有する対応テーブル指示データ部が用意されている。
【００４９】
そして対応テーブル指示データ部に続く領域には、テーブルポインタ（Ｐ−ＴＮＯ１〜Ｐ−ＴＮＯ２５５）に対応されることになる（０１ｈ）〜（ＦＦｈ）までの２５５個のパーツテーブルが設けられた管理テーブル部が用意されている。なお本明細書において“ｈ”を付した数値はいわゆる１６進表記のものである。それぞれのパーツテーブルには、あるパーツについて起点となるスタートアドレス、終端となるエンドアドレス、及びそのパーツのトラックモード情報が記録できるようになっている。
【００５０】
各パーツテーブルにおけるトラックモード情報とは、そのパーツが例えばオーバーライト禁止やデータ複写禁止に設定されているか否かの情報や、オーディオ情報か否か、ＡＴＲＡＣの記録モード（ＡＴＲＡＣ１  ＳＰ、ＡＴＲＡＣ３  ＬＰ２、ＡＴＲＡＣ３  ＬＰ４）等が記録されている。
【００５１】
管理テーブル部における（０１ｈ）〜（ＦＦｈ）までの各パーツテーブルは、テーブルポインタ（Ｐ−ＴＮＯ１〜Ｐ−ＴＮＯ２５５）によって、そのパーツの内容が示される。
【００５２】
つまり、第１曲目の楽曲についてはテーブルポインタＰ−ＴＮＯ１としてあるパーツテーブル（例えば（０１ｈ））のスタートアドレスは第１曲目の楽曲が記録された位置のスタートアドレスとなり、同様にエンドアドレスは第１曲目の楽曲が記録された位置のエンドアドレスとなる。さらに、トラックモード情報はその第１曲目についての情報となる。なお、実際にはテーブルポインタには所定の演算処理によりＴＯＣセクタ−０内のバイトポジションであるパーツテーブルを示すことができる数値が記されている。
【００５３】
同様に第２曲目についてはテーブルポインタＰ−ＴＮＯ２に示されるパーツテーブル（例えば（０２ｈ））に、その第２曲目の楽曲が記録された位置のスタートアドレス、エンドアドレス、及びトラックモード情報が記録されている。
【００５４】
以下同様にテーブルポインタはＰ−ＴＮＯ２５５まで用意されているため、ＴＯＣ上では、第２５５曲目まで管理可能とされている。そして、このようにＴＯＣセクター０が形成されることにより、例えば再生専用の光ディスクの再生時において所定の楽曲をアクセスして再生することができる。
【００５５】
なお、再生／記録可能なディスクの場合、いわゆるプレレコードされた楽曲エリアが存在しないため、上記した対応テーブル指示データ部及び管理テーブル部は使用されず（これらは続いて説明するＵ−ＴＯＣ情報で管理される）、従って、各バイトはすべて“００ｈ”とされている。ただし、全ての楽曲がピット形態で記録されている再生専用のディスクにおいては、楽曲の管理に上記対応テーブル指示データ部及び管理テーブル部が用いられる。
【００５６】
次に、Ｕ−ＴＯＣセクターについて説明する。図３は、Ｕ−ＴＯＣセクター０のフォーマットを示すものである。なお、Ｕ−ＴＯＣセクターとしてはセクター０からセクター４まで設けることができるが、セクター１，４は文字情報、セクター２は記録日時を記録するエリアとされる。ここでは、ディスク１の再生／記録動作に必ず必要となるＵ−ＴＯＣセクター０についてのみ説明を行うことにする。Ｕ−ＴＯＣセクター０は、主にユーザーが記録を行った楽曲や新たに楽曲が記録可能なフリーエリアについての管理情報が記録されているデータ領域である。
【００５７】
例えばディスク１にある楽曲の記録を行おうとする際には、システムコントローラ１０は、Ｕ−ＴＯＣセクター０からディスク上のフリーエリアを検出し、ここに音声データを記録していくことになる。また、再生時には再生したい楽曲が記録されているエリアをＵ−ＴＯＣセクター０から検出し、そのエリアにアクセスして再生動作を行う。
【００５８】
Ｕ−ＴＯＣセクター０のデータ領域（４バイト×５８８＝２３５２バイト）は、先頭位置にオール０またはオール１の１バイトデータによって構成される合計１２バイトの同期パターンにクラスタアドレス及びセクタアドレスを示すアドレスや、モード情報等が４バイト付加され、合計１６バイトで本セクタのヘッダが構成される。
【００５９】
セクターとは、２３５２バイトのデータ単位であり、３６セクターが１クラスタとなる。同期パターンやアドレスについては、このＵ−ＴＯＣセクター０に限らず、前出のＴＯＣセクターや、実際に音楽データが記録されるデータセクターでも、そのセクター単位で記録されている。クラスタアドレスは、上位アドレス（Ｃｌｕｓｔｅｒ  Ｈ）と下位アドレス（Ｃｌｕｓｔｅｒ  Ｌ）の２バイトで記され、セクターアドレス（Ｓｅｃｔｏｒ）は１バイトで記される。
【００６０】
続いて所定バイト位置に、メーカーコード、モデルコードが記録される。また記録されているトラック数に応じて、各１バイトの領域で、最初の楽曲の曲番（Ｆｉｒｓｔ  ＴＮＯ）、最後の楽曲の曲番（Ｌａｓｔ  ＴＮＯ）が記録される。通常、最初の楽曲の曲番（Ｆｉｒｓｔ  ＴＮＯ）は“０１ｈ”である。また最後の楽曲の曲番（Ｌａｓｔ  ＴＮＯ）は記録されるトラック数に応じて書き換えられる。さらにセクタ−使用状況（Ｕｓｅｄ  Ｓｅｃｔｏｒｓ）、ディスクシリアルナンバー、ディスクＩＤ等のデータが記録される。
【００６１】
さらに、ユーザーが録音を行って記録されているトラック（楽曲等）の領域やフリーエリア等を後述する管理テーブル部に対応させることによって識別するため、対応テーブル指示データ部として各種のテーブルポインタ（Ｐ−ＤＦＡ、Ｐ−ＥＭＰＴＹ、Ｐ−ＦＲＡ、Ｐ−ＴＮＯ１〜Ｐ−ＴＮＯ２５５）が記録される領域が用意されている。
【００６２】
そしてテーブルポインタ（Ｐ−ＤＦＡ〜Ｐ−ＴＮＯ２５５）に対応させることになる管理テーブル部として（０１ｈ）〜（ＦＦｈ）までの２５５個のパーツテーブルが設けられ、それぞれのパーツテーブルには、あるパーツについて起点となるスタートアドレス、終端となるエンドアドレス、そのパーツのトラックモードが記録されている。さらに各パーツテーブルで示されるパーツが他のパーツへ続いて連結される場合があるため、その連結されるパーツのスタートアドレス及びエンドアドレスが記録されているパーツテーブルを示すリンク情報が記録できるようになっている。ここでパーツとは、１つのトラック内で時間的に連続したデータが物理的に連続して記録されているトラック部分のことをいう。
【００６３】
この種の再生／記録装置では、１つの楽曲のデータを物理的に不連続に、複数のパーツにわたって記録されていてもパーツ間でアクセスしながら再生していくことにより再生動作に支障はないため、ユーザーが記録する楽曲等については、記録可能エリアの効率使用の観点から、複数パーツに分けて記録する場合もある。
【００６４】
そのため、リンク情報が設けられ、例えばパーツテーブルに与えられたナンバー（０１ｈ）〜（ＦＦｈ）によって、連結すべきパーツテーブルを指定することによってパーツテーブルが連結できるようになっている。つまりＵ−ＴＯＣセクター０における管理テーブル部においては、１つのパーツテーブルは１つのパーツを表現しており、例えば３つのパーツが連結されて構成される楽曲についてはリンク情報によって連結される３つのパーツテーブルによって、そのパーツ位置の管理が為される。なお、実際のリンク情報は所定の演算処理によりＵ−ＴＯＣセクター０内のバイトポジションとされる数値で示される。即ち、３０４＋（リンク情報）×８（バイト目）としてパーツテーブルを指定する。
【００６５】
Ｕ−ＴＯＣセクター０の管理テーブル部における（０１ｈ）〜（ＦＦｈ）までの各パーツテーブルは、対応テーブル指示データ部におけるテーブルポインタ（Ｐ−ＤＦＡ，Ｐ−ＥＭＰＴＹ，Ｐ−ＦＲＡ，Ｐ−ＴＮＯ１〜Ｐ−ＴＮＯ２５５）によって、以下のようにそのパーツの内容が示される。
【００６６】
テーブルポインタＰ−ＤＦＡはディスク１上の欠陥領域に付いて示しており、傷などによる欠陥領域となるトラック部分（＝パーツ）が示された１つのパーツテーブル又は複数のパーツテーブル内の先頭のパーツテーブルを指定している。つまり、欠陥領域が存在する場合はテーブルポインタＰ−ＤＦＡにおいて（０１ｈ）〜（ＦＦｈ）の何れかが記録されており、それに相当するパーツテーブルには、欠陥パーツの物理的開始位置（スタートアドレス）と終了位置（エンドアドレス）が示されている。また、他にも欠陥パーツが存在する場合は、そのパーツテーブルにおけるリンク情報として他のパーツテーブルが指定され、そのパーツテーブルにも欠陥パーツが示されている。そして、さらに他の欠陥パーツがない場合はリンク情報として例えば“００ｈ”とされ、以降リンクなしとされる。
【００６７】
テーブルポインタＰ−ＥＭＰＴＹは管理テーブル部における１つのパーツテーブル又は複数の未使用のパーツテーブルの先頭のパーツテーブルを示すものであり、未使用のパーツテーブルが存在する場合は、テーブルポインタＰ−ＥＭＰＴＹとして、（０１ｈ）〜（ＦＦｈ）の何れかが記録される。未使用のパーツテーブルが複数存在する場合は、テーブルポインタＰ−ＥＭＰＴＹによって指定されたパーツテーブルからリンク情報によって順次パーツテーブルが指定されていき、全ての未使用のパーツテーブルが管理テーブル上で連結されて管理される。
【００６８】
テーブルポインタＰ−ＦＲＡはディスク１上のデータの書込可能なフリーエリア（消去領域を含む）について示しており、フリーエリアとなるトラック部分（＝パーツ）が示された１つのパーツテーブル又は複数のパーツテーブル内の先頭のパーツテーブルを指定している。つまり、フリーエリアが存在する場合はテーブルポインタＰ−ＦＲＡにおいて（０１ｈ）〜（ＦＦｈ）に何れかが記録されており、それに相当するパーツテーブルには、フリーエリアであるパーツの物理的開始位置（スタートアドレス）と終了位置（エンドアドレス）が示されている。また、このようなパーツテーブルが複数存在する場合は、Ｐ−ＦＲＡによって指定されたパーツテーブルからリンク情報によって順次パーツテーブルが指定されていき、リンク情報が“００ｈ”となるパーツテーブルまで順次指定されている。図４にパーツテーブルにより、フリーエリアとなるパーツの管理状態を模式的に示す。これはパーツ（０５ｈ）（１０ｈ）（３５ｈ）（７Ｆｈ）（Ｆ８ｈ）がフリーエリアとされている時に、この状態が対応テーブル指示データＰ−ＦＲＡに引き続きパーツテーブル（０５ｈ）（１０ｈ）（３５ｈ）（７Ｆｈ）（Ｆ８ｈ）のリンクによって表現されている状態を示している。なお上記した欠陥領域や未使用パーツテーブルの管理形態もこれと同様となる。テーブルポインタＰ−ＴＮＯ１〜Ｐ−ＴＮＯ２５５は、ディスク１にユーザーが記録を行った楽曲などのトラックについて示しており、例えばテーブルポインタＰ−ＴＮＯ１では第１トラックのデータが記録された１つのパーツまたは複数のパーツのうちの時間的に先頭となるパーツが示されたパーツテーブルを指定している。例えば第１トラックとされた楽曲がディスク上でトラックが分断されずに１つのパーツで記録されている場合は、その第１トラックの記録領域はテーブルポインタＰ−ＴＮＯ１で示されるパーツテーブルにおけるスタートアドレス及びエンドアドレスとして  記録されている。また、例えば第２トラックとされた楽曲がディスク上で複数のパーツに離散的に記録されている場合は、その第２トラックの記録位置を示すため各パーツが時間的な順序に従って指定される。つまり、テーブルポインタＰ−ＴＮＯ２に指定されたパーツテーブルから、さらにリンク情報によって他のパーツテーブルが順次時間的な順序に従って指定されて、リンク情報が“００ｈ”となるパーツテーブルまで連結される（上記図４と同様の形態）。このように例えば２曲目を構成するデータが記録された全パーツが順次指定されて記録されることにより、このＵ−ＴＯＣセクター０のデータを用いて、２曲目の再生時や、その２曲目の領域への上書き記録を行う際に、光学ヘッド３及び磁気ヘッド４をアクセスさせ離散的なパーツから連続的な音楽情報を取り出したり、記録エリアを効率的に使用した記録が可能となる。
【００６９】
各パーツデーブルに設けられるトラックモードの情報としてはその１バイトの各ビットによって所定の状態が示されている。トラックモードデータとなるｄ１〜ｄ８の８ビットとして、先ずｄ１が“０”又は“１”であることでライトプロテクト（記録不可）の状態が示される。またｄ２が“０”又は“１”であることでコピーライトプロテクトのオン／オフ状態が示される。更にｄ３によってそのトラックがオリジナルデータか第２世代以降のコピーデータかが示される。また、ｄ４が“１”である場合はそのパーツはオーディオデータであると識別される。ｄ５、ｄ６、ｄ７によってＡＴＲＡＣの記録モード（ＡＴＲＡＣ１  ＳＰ、ＡＴＲＡＣ３  ＬＰ２、ＡＴＲＡＣ３  ＬＰ４）やモノラル／ステレオが識別され、ｄ８によってエンファシス情報が示される。
【００７０】
以上のようにＵ−ＴＯＣセクター０が構成されることにより、ディスク１での再生／記録動作に必要な領域のアドレスが管理されるとともに、さらにこのＵ−ＴＯＣセクター０を更新することで、トラックの分割、連結、消去やトラックナンバーの入れ替えが可能になることが理解される。
【００７１】
このような管理データ形態のディスクにおいて、本実施の形態の再生／記録装置はＵＴＯＣデータが壊れているとき、すなわち、正規の位置に所定のデータがないとき、正規のデータに訂正することにより、本来ディスクエラーとして再生動作に移行できなかったディスクを救うことが目的とされるが、以下にその動作について説明する。
【００７２】
図６は本実施の形態における記録媒体の管理情報訂正装置のブロック図であり、請求項１に対応している。
【００７３】
図６の記録媒体の管理情報訂正装置において、１は光磁気ディスク（記録媒体）、２はそのディスク１を回転駆動するためのスピンドルモータ、３はディスク１に対してデータの再生及び記録を行うためにレーザ光を照射する光学ヘッド、１９はディスク１上のＵ−ＴＯＣセクター０の管理情報を、すなわち、現在の記録媒体に対応する管理情報をディスク１が装填されたときに一時的に保持するバッファメモリ、２０は前記バッファメモリ１９に保持されたＵ−ＴＯＣセクター０に異常があった場合、その異常部分を訂正する管理情報訂正制御部である。また、１０は、システムコントローラであって、初期状態時のＵ−ＴＯＣセクター０の情報を格納するＲＡＭ１０ａを有し、ユーザーの操作により管理情報を訂正するための訂正指示情報を出力する管理情報訂正操作部（訂正操作手段）２１の訂正指示情報を受け、そして、前記スピンドルモータ２及び光学ヘッド３を動作させると共に、前記バッファメモリ１９に保持されているディスク１に対応する管理情報の異常部分を訂正するための制御を指示する信号を前記管理情報訂正制御部（訂正制御手段）２０へ出力する。ここで、前記バッファメモリ１９と前記システムコントローラ１０のＲＡＭ１０ａとにより管理情報保持手段を構成する。
【００７４】
本実施の形態における再生／記録装置では、ディスク１が装填された場合、最初に、図６のバッファメモリ１９に、Ｕ−ＴＯＣセクター０の管理情報を一旦保持するように動作をする。ここで、ヘッダ部に、例えば、全て“００ｈ”の正常でないデータが記録されている場合は、図５に示すようにＵ−ＴＯＣセクター０のところでクラスタアドレスが“００００ｈ”となり正規のアドレスとは異るので、通常はアドレスエラーとしてこのＵ−ＴＯＣセクター０を参照しない。
【００７５】
しかし、本実施の形態における再生／記録装置では、このようなアドレスエラーが発生した場合には、ユーザーが管理情報訂正操作部２１により、管理情報の訂正を行うよう訂正指示情報をシステムコントローラ１０に入力する。ここで、図６に示すように予めブランクディスク時に相当する初期状態時のＵ−ＴＯＣセクター０の管理情報データが、システムコントローラ１０内のＲＡＭ１０ａに格納されている。従って、その格納データとバッファメモリ１９に保持されたディスク１から読み出した正常でないＵ−ＴＯＣセクター０の管理情報データとを比較し、正規の位置にヘッダアドレスがくるように管理情報訂正制御部２０により、バッファメモリ１９上のＵ−ＴＯＣセクター０の訂正が行われる。
【００７６】
従って、本実施の形態によれば、従来、Ｕ−ＴＯＣセクター０のヘッダ情報のリードエラー等により再生できなかったディスクであっても、バッファメモリ１９上のＵ−ＴＯＣセクター０のデータを訂正することにより、再生できるようになる。
【００７７】
（第２の実施の形態）
次に、本発明の第２の実施の形態を説明する。
【００７８】
図７は本実施の形態における記録媒体の管理情報訂正装置のブロック図である。
【００７９】
本実施の形態では、第１の実施の形態において示した図６の記録媒体の管理情報訂正装置における管理情報訂正制御部２０が、記録媒体上の管理情報をバッファメモリ１９に保持されている新しい管理情報に更新することができる管理情報訂正／更新制御部（訂正制御手段）２２に変更される。また、図６における管理情報訂正操作部２１を、ユーザーが操作することにより、その管理情報訂正／更新制御部２２に対して訂正指示情報又はディスク１上の管理情報を更新するための更新指示情報を前記システムコントローラ１０を介して出力する管理情報訂正／更新操作部（訂正操作手段）２３に変更される。
【００８０】
本実施の形態では、第１の実施の形態に示したようにバッファメモリ１９上のＵ−ＴＯＣセクター０の管理情報が正常な値に訂正された場合において、ユーザーが管理情報訂正／更新操作部２３を操作することにより、ディスク１の管理情報の更新を行うための指示情報が前記システムコントローラ１０に入力される。これにより、システムコントローラ１０から管理情報訂正／更新制御部２２に更新指示情報が出力され、管理情報訂正／更新制御部２２はディスク１上のＵ−ＴＯＣセクター０の管理情報の内容を、バッファメモリ１９上における訂正後の正常な管理情報の内容に更新することができる。
【００８１】
従って、本実施の形態によれば、従来、Ｕ−ＴＯＣセクター０のヘッダ情報のリードエラー等により、再生又は記録ができなかったディスクにおいて、ディスク１上のＵ−ＴＯＣセクター０の管理情報データを正常な管理情報データに更新することにより、本実施の形態における再生／記録装置は勿論のこと、他の再生／記録装置においても再生及び記録ができるようになる。
【００８２】
（第３の実施の形態）
続いて、本発明の第３の実施の形態を説明する。
【００８３】
図８は本実施の形態における記録媒体の管理情報訂正装置のブロック図である。
【００８４】
本実施の形態では、ディスクカートリッジ１Ａ（記録媒体）に設けられている記録の可否を設定する誤消去防止爪（記録可否設定手段）１Ｂの設定状態を検出して、その検出結果を前記システムコントローラ１０へ出力し、ディスクのデータの誤消去を防止する記録可否検出部（検出手段）２４を備えることを示す。
【００８５】
本実施の形態では、第１の実施の形態で示したようにバッファメモリ１９上のＵ−ＴＯＣセクター０の管理情報が正常な値に訂正された場合において、ユーザーが管理情報訂正／更新操作部２３を操作することにより、ディスク１の管理情報の更新を行うための指示情報が前記システムコントローラ１０に入力されたとき、システムコントローラ１０は記録可否検出部２４の検出信号に基づいて、現在装填中のディスク１の誤消去防止爪１Ｂの状態が記録可能な状態であるか否かを判別する。ここで、ディスク１の誤消去防止爪１Ｂが記録可能と設定されている場合には、第２の実施の形態において示したようにディスク１上のＵ−ＴＯＣセクター０の管理情報データは更新されるが、記録不可側に設定されている場合には、ディスク１上のＵ−ＴＯＣセクター０の管理情報の書き換えを実行しないように動作する。
【００８６】
従って、本実施の形態によれば、管理情報の更新に際し、データの記録時と同様にその管理情報の誤消去防止が図れる。
【００８７】
（第４の実施の形態）
次に、本発明の第４の実施の形態を説明する。
【００８８】
本実施の形態における記録媒体の管理情報訂正装置では、図７において、第２の実施の形態におけるバッファメモリ１９上のＵ−ＴＯＣセクター０の訂正とディスク１上のＵ−ＴＯＣセクター０の更新とに対して何れを実行するのかを、ユーザーが操作により選択することができる機能を、管理情報訂正／更新操作部２３に設けた。
【００８９】
本実施の形態では、第２の実施の形態で示したように管理情報の訂正又は更新を行うとき、ユーザーが管理情報の訂正又は更新を実行するか否かの選択を管理情報訂正／更新操作部２３により行うことができる。ここで、訂正又は更新を実行するようユーザーが選択した場合のみ、管理情報訂正／更新操作部２３から指示情報がシステムコントローラ１０に入力され、そのシステムコントローラ１０から管理情報訂正／更新制御部２２に訂正又は更新指示情報が出力され、管理情報訂正／更新制御部２２はバッファメモリ１９上のＵ−ＴＯＣセクター０の訂正又はディスク１上のＵ−ＴＯＣセクター０の内容を更新する。
【００９０】
従って、本実施の形態によれば、管理情報の訂正や更新に際してその訂正のみを行うか、更新までをも行うかをユーザーが選択できる機構を設けることにより、ディスク１上の管理情報を書き換えることなく、バッファメモリ１９上の管理情報を訂正するだけで再生動作に移行したり、ディスク上の管理情報を更新する際に確認することができるなど、ユーザーの選択の自由度が広がる。
【００９１】
（第５の実施の形態）
更に、本発明の第５の実施の形態を説明する。
【００９２】
図９は本実施の形態を示した記録媒体の管理情報訂正装置のブロック図である。
【００９３】
本実施の形態では、第２の実施の形態において、ディスク１上のＵ−ＴＯＣセクター０の内容を更新した後も、バッファメモリ１９に更新前の管理情報を保持させ続けて、ユーザーの選択により記録媒体の管理情報を更新前の管理情報に戻すか否かを選択的に指示するための指示情報（復帰情報）を出力する管理情報訂正／更新選択操作部（訂正操作手段）２５を備えることを示す。
【００９４】
本実施の形態では、図９に示したように予めバッファメモリ（管理情報保持手段）１９上に、ディスク１から再生したＵ−ＴＯＣセクター０の管理情報データを書き込む領域以外に、別途、１セクター分、領域を確保しておき、訂正するのはそのうち一方のみとし、他方には訂正前の元のＵ−ＴＯＣセクター０の情報をそのまま保持させる。
【００９５】
これにより、管理情報訂正／更新選択操作部２５から訂正前のＵ−ＴＯＣセクター０の管理情報に戻すよう指示情報が出力された場合には、管理情報訂正／更新制御部２２は、ディスク１上の管理情報を訂正しないで保持していたＵ−ＴＯＣセクター０の情報に再更新するように動作する。
【００９６】
従って、本実施の形態によれば、管理情報の更新後、ユーザーが任意に訂正前の管理情報に戻せるので、ユーザーの自由度が広がる。
【００９７】
（第６の実施の形態）
次に、第６の実施の形態の記録媒体の管理情報訂正装置を説明する。
【００９８】
本実施の形態では、第１の実施の形態では訂正不可能な管理情報の異常が生じたときに、ユーザーの操作により強制的に再生をさせるようにしたものである。第１の実施の形態では訂正することが不可能な、図３に示すように２５５からなるパーツテーブルで構成される管理テーブル部のデータが壊れている場合、すなわち、正規の位置に所定のデータがなかったり、実際に記録されているはずなのにスタートアドレス又はエンドアドレスが不正である等のような、通常、再生したい物理的な位置がわからないためにＵ−ＴＯＣセクター０に則っての再生及び記録が不可能な場合に対して強制的にデータの再生を可能としたものである。
【００９９】
一般的に、このように管理テーブル部のデータが壊れている場合には、Ｕ−ＴＯＣセクター０のデータが壊れているだけで、実際に音楽情報等が記録されているレコーダブルユーザーエリアは物理的には損傷しておらず、正常なデータが書かれていることが多い。この事実を本実施の形態は利用している。
【０１００】
ここで、先ず、図１０にディスクのエリア構造をその半径方向に模式的に示す。本実施の形態におけるようなディスクの場合には、大きく分けてピットエリアとして示すようにエンボスピットによりデータが記録されているエリアと、いわゆる光磁気エリアとしてグルーブ（溝）が設けられているグルーブエリアとに分けられる。ピットエリアとしては、図２で説明したＴＯＣが繰り返し記録されており、このＴＯＣにおいて、Ｕ−ＴＯＣの位置がＵ−ＴＯＣスタートアドレスＵＳＴＡとして示され、また、リードアウトスタートアドレスＬＯＡ、レコーダブルユーザーエリアスタートＲＳＴＡ等が示される。このディスク１の最内周側のピットエリアに続いてグルーブエリアが形成されるが、このグルーブエリア内のＴＯＣ内のリードアウトスタートアドレスＬＯＡとして示されるアドレスまでのエリアが、記録可能なレコーダブルエリアとされ、以降は、リードアウトとされている。更に、このレコーダブルエリアの内、実際に音楽等のデータが記録されるレコーダブルユーザーエリアは、レコーダブルユーザーエリアスタートアドレスＲＳＴＡから、リードアウトスタートアドレスＬＯＡの直前の位置までとなる。
【０１０１】
図１１は本実施の形態を示した記録媒体の管理情報訂正装置のブロック図である。
【０１０２】
本実施の形態では、ディスク１のデータの記録開始位置から強制的にデータを再生させることを指示する再生指示情報を出力する再生選択操作部（再生操作手段）２７が追加される。更に、第２の実施の形態に示した記録媒体の管理情報訂正装置における管理情報訂正／更新制御部２２を、それを含む再生／記録制御部２６に変更している。この再生／記録制御部２６は、前記再生選択操作部２７からの再生指示情報を受けて、強制的にデータ記録開始位置であるレコーダブルユーザーエリアスタートアドレスＲＳＴＡからデータを再生させる機能が付加された再生／記録制御部２６として示す。
【０１０３】
従って、本実施の形態では、前記再生選択操作部２７によりレコーダブルユーザーエリアスタートアドレスＲＳＴＡからの再生開始を要求する信号をシステムコントローラ１０に入力すると、そのシステムコントローラ１０は再生／記録制御部２６を制御することにより、レコーダブルユーザーエリアスタートアドレスＲＳＴＡにアクセスし、再生動作を行う。
【０１０４】
以降は、ユーザーが所定の方法によりトラックマークを打つことにより、例えば、ディスク１から読み出され、バッファメモリ１９上に保持された図３のＵ−ＴＯＣセクター０の対応テーブル指示データ部及び管理テーブル部のデータを、トラックマーキングしたとおり書き直していくことにより、訂正が可能になる。
【０１０５】
そして、ユーザーは再生終了後、例えば、装填されたディスク１を本実施の形態の再生／記録装置より取り出すときに、ディスク１上のＵ−ＴＯＣセクター０の内容を更新するか否かの操作を選択することにより、ディスク１上のＵ−ＴＯＣセクター０の内容を訂正されたバッファメモリ１９上のＵ−ＴＯＣセクター０の情報に更新することが可能となる。
【０１０６】
従って、本実施の形態によれば、Ｕ−ＴＯＣセクター０の対応テーブル指示データ部や管理テーブル部のデータが壊れていても、レコーダブルユーザーエリアのデータが正常であれば、通常再生が行えるだけでなく、所定の方法でトラックマーキングを打ち、Ｕ−ＴＯＣセクター０を正常な値に更新することにより、他の機器での再生動作が可能になる。
【０１０７】
（第７の実施の形態）
図１２は本実施の形態を示した記録媒体の管理情報訂正装置のブロック図であり、第６の実施の形態と同様に、第２の実施の形態に示した記録媒体の管理情報訂正装置において、強制的にデータの記録開始位置であるレコーダブルユーザーエリアスタートアドレスＲＳＴＡから記録させることを指示する記録指示情報をシステムコントローラ１０に対して出力する記録選択操作部（記録操作手段）２８を追加したものである。
【０１０８】
本実施の形態では、第６の実施の形態において示した再生動作が記録動作についても可能となる。動作については、第６の実施の形態と同様であるので省略する。
【０１０９】
前記記録選択操作手段２８によりレコーダブルユーザーエリアスタートアドレスＲＳＴＡからの記録開始を要求するシステムコントローラ１０に入力すると、そのシステムコントローラ１０は再生／記録制御部２６を制御することにより、レコーダブルユーザーエリアスタートアドレスＲＳＴＡにアクセスし、そこから記録動作を行う。以降は、通常の記録動作と同様に、例えば、記録終了後にディスク１を再生／記録装置から取り出すときに、記録されたデータに基づいてＵ−ＴＯＣセクター０を更新するように動作する。
【０１１０】
ただし、本実施の形態では、既に記録されている状態からオーバーライトしていくことになるので、記録選択操作部２８により記録してもよいかどうかをユーザーに確認する手段を設けている。
【０１１１】
従って、本実施の形態によれば、Ｕ−ＴＯＣセクター０のデータが壊れていても通常記録が行えるようになり、他の機器での再生／記録動作も可能になる。
【０１１２】
尚、以上に示した第１〜７の実施の形態では、本発明における記録媒体の管理情報訂正装置を、再生／記録装置におけるシステムコントローラ１０の制御により実現するようにしたが、再生／記録装置とは別に、管理情報更新のための専用装置として実現することも当然可能である。
【０１１３】
更に、情報記録媒体の一例としてＭＤを用いた例について説明したが、これに限らず、本発明は管理情報によって記録データが管理されるシステムであれば適用することが可能である。勿論、記録媒体がディスク状の記録媒体以外の、例えば、テープ状の記録媒体や固体メモリである再生／記録装置としても適用可能である。
【０１１４】
【発明の効果】
以上説明したように、本発明によれば、記録媒体の管理情報内容をユーザーの操作により、訂正及び更新するように構成されていることから、例えば、管理情報に異常が生じたために今までイレギュラーディスクとして扱われてきたディスクを再び使用可能にすることができるので、経済的であるだけでなく、ユーザーが記録した音楽情報等を無駄にすることなく再生又は記録できる可能性が増えるため、非常に有益なシステムを提供することが可能となる。
【０１１５】
すなわち、請求項１及び８記載の発明では、記録媒体の管理情報に異常が有る場合でも、管理情報保持手段上で訂正を行うことにより、再生又は記録ができる。
【０１１６】
また、請求項２記載の発明では、記録媒体の管理情報に異常が生じた場合において、管理情報保持手段上で管理情報が訂正された後、その訂正後の管理情報を記録媒体に更新することで、他の記録再生装置においても再生又は記録ができるようになる。
【０１１７】
請求項３記載の発明では、検出手段により記録媒体に設けられている記録可否設定手段の設定状態を検出し、データの誤消去を防止することができるので、データの安全な取り扱いが可能となる。
【０１１８】
また、請求項４記載の発明では、管理情報の訂正及び更新の何れかをユーザーの操作により選択することができるので、例えば、記録媒体の管理情報を書き換えることなく管理情報保持手段上の管理情報を訂正するだけで再生動作に移行したり、また、記録媒体の管理情報を更新する際に確認できるなど、ユーザーの選択に自由度を持たせることができる。
【０１１９】
更に、請求項５記載の発明では、管理情報の更新後であっても、更新前の情報に復帰させることができるので、ユーザーによるデータ選択の自由度が広がる。
【０１２０】
また、請求項６及び７記載の発明では、訂正後の管理情報保持手段に保持されている管理情報においてデータの再生又は記録ができない異常が生じている場合でも、そのデータの強制的な再生又は記録動作が可能である。
【図面の簡単な説明】
【図１】本発明の一実施形態における記録媒体の管理情報訂正装置を搭載した再生記録装置のブロック図である。
【図２】ＭＤシステムのＴＯＣセクター０の構成図である。
【図３】ＭＤシステムのＵ−ＴＯＣセクター０の構成図である。
【図４】ＭＤシステムのＵ−ＴＯＣセクター０のリンク形態の説明図である。
【図５】ＭＤシステムのＵ−ＴＯＣセクター０のヘッダ部がオール“０”時のヘッダシンク及びヘッダアドレスの状態説明図である。
【図６】本発明の第１の実施の形態における記録媒体の管理情報訂正装置を搭載した再生記録装置のブロック図である。
【図７】本発明の第２の実施の形態における記録媒体の管理情報訂正装置を搭載した再生記録装置のブロック図である。
【図８】本発明の第３の実施の形態における記録媒体の管理情報訂正装置を搭載した再生記録装置のブロック図である。
【図９】本発明の第５の実施の形態における記録媒体の管理情報訂正装置を搭載した再生記録装置のブロック図である。
【図１０】ＭＤのディスク上のエリア構造及び管理状態の説明図である。
【図１１】本発明の第６の実施の形態における記録媒体の管理情報訂正装置を搭載した再生記録装置のブロック図である。
【図１２】本発明の第７の実施の形態における記録媒体の管理情報訂正装置を搭載した再生記録装置のブロック図である。
【符号の説明】
１              ディスク
１Ａ            ディスクカートリッジ（記録媒体）
１Ｂ            誤動作防止爪（記録可否設定手段）
２              スピンドルモータ
３              光学ヘッド
１０            システムコントローラ
１０ａ          ＲＡＭ
１２、１９      バッファメモリ
２０            管理情報訂正制御部（訂正制御手段）
２１            管理情報訂正操作部（訂正操作手段）
２２            管理情報訂正／更新制御部（訂正制御手段）
２３            管理情報訂正／更新操作部（訂正操作手段）
２４            記録可否検出部（検出手段）
２５            管理情報訂正／更新選択操作部（訂正操作手段）
２６            再生／記録制御部
２７            再生選択操作部（再生操作手段）
２８            記録選択操作部（記録操作手段）
【図１】
2004227685.tif 000003
【図２】
2004227685.tif 000004
【図３】
2004227685.tif 000005
【図４】
2004227685.tif 000006
【図５】
2004227685.tif 000007
【図６】
2004227685.tif 000008
【図７】
2004227685.tif 000009
【図８】
2004227685.tif 000010
【図９】
2004227685.tif 000011
【図１０】
2004227685.tif 000012
【図１１】
2004227685.tif 000013
【図１２】
2004227685.tif 000014